(57)【要約】【課題】センター側とリモート側とが遠距離化した場合であってもＰＩＬＯＴ信号の減衰を通信可能な範囲に抑制し、確実に受信側で受信可能にすること。【解決手段】ＡＤＳＬ通信の通信単位であるハイパーフレームのうち、特定のシンボルのみをアップストリームの信号として使用し、他のシンボルをダウンストリームの信号として使用するように記憶する管理テーブル１２ａを備える。この管理テーブル１２ａに記憶されるシンボルに応じて、アップストリーム、ダウンストリームを切替えて通信を行う。ハイパーフレームを所定個送信した場合には、次のハイパーフレームの先頭でＲＥＶＥＲＢ信号に変えてＳＥＧＵＥ信号を送信するようにプロセッサ２０が制御する。【選択図】　　　図４
2004072269.tif 000002
【特許請求の範囲】
【請求項１】
リモート−センター間でのダウンストリームで使用されるキャリアインデックスの領域をキャリアインデックス３２以下として、アップストリームで使用されるキャリアインデックスの領域を、ダウンストリームで使用されるキャリア周波数の領域より低周波数域とすることを特徴とするＡＤＳＬモデム装置。
【請求項２】
ダウンストリームのハイパーフレームの同期信号に使われるＰＩＬＯＴ信号、Ａｃｃｏｍｐａｎｉｅｄ　ＰＩＬＯＴ信号を、キャリアインデックス３２以下に設定することを特徴とする請求項１記載のＡＤＳＬモデム装置。
【請求項３】
ＡＤＳＬ通信の通信単位であるハイパーフレームのうち、特定のシンボルのみをアップストリームの信号として使用し、他のシンボルをダウンストリームの信号として使用することにより、ダウンストリームとアップストリームとで使用するシンボルを時分割処理により切替えることを特徴とするＡＤＳＬモデム装置。
【請求項４】
前記特定のシンボルは、１ハイパーフレームの最後の１０シンボル中１シンボルを少なくとも含むことを特徴とする請求項３記載のＡＤＳＬモデム装置。
【請求項５】
前記特定のシンボルは、１ハイパーフレームの最後の１０シンボルを少なくとも含むことを特徴とする請求項３記載のＡＤＳＬモデム装置。
【請求項６】
ＡＤＳＬ通信の通信単位であるハイパーフレームのうち、特定のシンボルのみをアップストリームの信号として使用し、他のシンボルをダウンストリームの信号として使用するように記憶する管理テーブルと、この管理テーブルに記憶されるシンボルに応じて、アップストリーム、ダウンストリームを切替えて通信を行う通信手段と、この通信手段により、ハイパーフレームを所定個送信した場合には、次のハイパーフレームの先頭でＲＥＶＥＲＢ信号に代えてＳＥＧＵＥ信号を送信するように制御する制御手段と、を備えるＡＤＳＬモデム装置。
【請求項７】
通信単位であるシンボルを計測する計測手段と、送信キャリアインデックス毎にアップストリーム、ダウンストリームのいずれの場合に使用するかをテーブル化した管理テーブルと、前記計測手段で所定シンボルを計測する毎に前記管理テーブルを書き換えるテーブル書き換え手段と、前記管理テーブルに記憶されているキャリアを用いてショータイム手順を実行する通信手段とを備え、前記管理テーブルに基づいてアップストリーム、ダウンストリームとを相互に切替え、時分割制御することにより通信することを特徴とするＡＤＳＬモデム装置。
【請求項８】
ショータイム中にアップストリーム方向にデータ送信するときに、ダウンストリームのシンボル送信が割り当てられたときには、一時アップストリーム方向に送信すべきデータを記憶するバッファ手段と、アップストリーム方向にデータを送信できるときになったら、前記バッファ手段からデータを取出し、アップストリーム方向へ送信する送信手段と、を備える請求項７記載のＡＤＳＬモデム装置。
【請求項９】
リモート−センター間でのダウンストリームで使用されるキャリアインデックスの領域をキャリアインデックス３２以下とし、このキャリアインデックス３２以下のキャリアインデックスを用いてダウンストリームの通信を行い、アップストリームで使用されるキャリアインデックスの領域を、ダウンストリームで使用されるキャリア周波数の領域より低周波数域とし、この低周波域のキャリアインデックスを用いてアップストリームの通信を行うことを特徴とする通信方法。
【請求項１０】
ＡＤＳＬ通信の通信単位を構成するハイパーフレームのうち特定のシンボルのみアップストリームによる通信を行い、前記特定のシンボル以降のシンボルをダウンストリームによる通信を行い、このダウンストリームによる通信が所定シンボル数分なされると、再度アップストリームによる通信を行うことにより、ダウンストリームとアップストリームとで使用するシンボルを時分割処理により切替えることを特徴とする通信方法。
【請求項１１】
ＡＤＳＬ通信の通信単位であるハイパーフレームのうち、特定のシンボルのみをアップストリームの信号として使用し、他のシンボルをダウンストリームの信号として使用するように記憶する管理テーブルを備え、この管理テーブルに記憶されるシンボルに応じて、アップストリーム、ダウンストリームを切替えて通信を行い、ハイパーフレームを所定個送信した場合には、次のハイパーフレームの先頭でＲＥＶＥＲＢ信号に代えてＳＥＧＵＥ信号を送信することを特徴とする通信方法。
【請求項１２】
ＡＤＳＬ通信におけるハンドシェイク通信手順、イニシャライズ通信手順を実行した後、ショータイム手順に移行する際、所定シンボル数分をアップストリームに割り当ててショータイム手順を実行し、前記所定シンボル数分を通信した後、所定シンボル数分ダウンストリームに割り当ててショータイム手順を実行し、その後再度所定シンボル数分アップストリーム手順を実行し、アップストリームとダウンストリームを相互に切替えてショータイム手順を実行することを特徴とする通信方法。
【発明の詳細な説明】
【０００１】
【発明の属する技術分野】
本発明は、ＩＴＵ−Ｔ勧告であるＧ．９９２．１（以下、Ｇ．ｄｍｔという）又はＧ．９９２．２（以下、Ｇ．ｌｉｔｅという）に規定されるＡＤＳＬ通信モデム装置及びその通信方法を改良したＡＤＳＬ通信モデム装置及びその通信方法に関する。
【０００２】
【従来の技術】
Ｇ．ｈｓ又はＧ．ｌｉｔｅのＡｎｎｅｘＣの基づいたＡＤＳＬ通信では、イニシャライズ手順でダウンストリームに含まれるＣ−ＰＩＬＯＴ信号（Ｃ−ＰＩＬＯＴ１信号又はＣ−ＰＩＬＯＴ１Ａ（Ａｃｃｏｍｐａｎｉｅｄ　Ｐｉｌｏｔ）信号）はキャリアインデックス４８のキャリア及びキャリアインデックス６４のキャリアが使用される。このＰＩＬＯＴ信号はリモート側でハイパーフレーム同期を取るために利用されている。センター側とリモート側との間でハイパーフレームの同期を合わせ、さらにシンボルの同期を合わせることで重要な信号の各シンボルを正確に計数し、また認識することができ、通信手順を実行することができる。
【０００３】
【発明が解決しようとする課題】
しかしながら、ダウンストリームに含まれるＰＩＬＯＴ信号に割り当てられたキャリア周波数（＃４８、＃６４）では、周波数が高いことから遠距離通信をする場合には減衰量が大きくなりすぎて良好な通信を実現できない問題があり、ＡＤＳＬ通信の遠距離化の妨げとなっていた。
【０００４】
本発明は以上のような実情に鑑みて成されたものであり、センター側とリモート側とが遠距離化した場合であってもＰＩＬＯＴ信号の減衰を通信可能な範囲に抑制し、確実に受信側で受信可能なＡＤＳＬモデム装置及びその通信方法を提供することを目的とする。
【０００５】
【課題を解決するための手段】
本発明は、リモート−センター間でのダウンストリームで使用されるキャリアインデックスの領域をキャリアインデックス３２以下として、アップストリームで使用されるキャリアインデックスの領域を、ダウンストリームで使用されるキャリア周波数の領域より低周波数域とするものとした。
【０００６】
【発明の実施の形態】
本発明の第１の態様は、リモート−センター間でのダウンストリームで使用されるキャリアインデックスの領域をキャリアインデックス３２以下として、アップストリームで使用されるキャリアインデックスの領域を、ダウンストリームで使用されるキャリア周波数の領域より低周波数域とすることを特徴とするＡＤＳＬモデム装置である。
【０００７】
以上のように構成されたＡＤＳＬモデム装置によれば、ダウンストリームの領域が広がることから、ダウンストリームの通信速度を上げることができるとともに、定周波数域のキャリアを使用しているため、遠距離通信による減衰にも耐え得ることができる。
【０００８】
本発明の第２の態様は、第１の態様のＡＤＳＬモデム装置において、ダウンストリームのハイパーフレームの同期信号に使われるＰＩＬＯＴ信号、Ａｃｃｏｍｐａｎｉｅｄ　ＰＩＬＯＴ信号を、キャリアインデックス３２以下に設定するものとした。
【０００９】
これにより、ＰＩＬＯＴ信号、Ａｃｃｏｍｐａｎｉｅｄ　ＰＩＬＯＴ信号はリモート側でハイパーフレームの同期に使用する重要な信号であるが、通信規格ではキャリアインデックス４８、６４に設定されていたので、遠距離化した場合には信号が到達しない可能性が高かったが、低周波数側へシフトしたことにより遠距離であっても安定して到達させることができる。
【００１０】
本発明の第３の態様は、ＡＤＳＬ通信の通信単位であるハイパーフレームのうち、特定のシンボルのみをアップストリームの信号として使用し、他のシンボルをダウンストリームの信号として使用することにより、ダウンストリームとアップストリームとで使用するシンボルを時分割処理により切替えるものとした。
【００１１】
これにより、データ量が少なく通信スピードを重視しないアップストリームで使用するシンボルを絞り、ダウンストリームで使用するシンボルを拡張することにより、ダウンストリーム時の通信スピードを向上させることができる。
【００１２】
本発明の第４の態様は、第３の態様のＡＤＳＬモデム装置において、前記特定のシンボルは、１ハイパーフレームの最後の１０シンボル中１シンボルを少なくとも含むものとした。
【００１３】
これにより、イニシャライズにシーケンスではハイパーフレームの最後の１０シンボルで送信されることとなっているＳＥＧＵＥ信号を送ることができ、相手から送られてくるＳＥＧＵＥ信号を受信することもできる。
【００１４】
本発明の第５の態様は、第３の態様のＡＤＳＬモデム装置において、前記特定のシンボルは、１ハイパーフレームの最後の１０シンボルを少なくとも含むものとした。
【００１５】
これにより、ＳＥＧＵＥ信号を送信することができ、またセンター側から送られてくるＳＥＧＵＥ信号を受信することができる。
【００１６】
本発明の第６の態様は、ＡＤＳＬ通信の通信単位であるハイパーフレームのうち、特定のシンボルのみをアップストリームの信号として使用し、他のシンボルをダウンストリームの信号として使用するように記憶する管理テーブルと、この管理テーブルに記憶されるシンボルに応じて、アップストリーム、ダウンストリームを切替えて通信を行う通信手段と、この通信手段により、ハイパーフレームを所定個送信した場合には、次のハイパーフレームの先頭でＲＥＶＥＲＢ信号に代えてＳＥＧＵＥ信号を送信するように制御する制御手段と、を備えるＡＤＳＬモデム装置である。
【００１７】
このように構成されたＡＤＳＬモデム装置によれば、アップストリーム、ダウンストリーム用のシンボルに合わせてデータ送受信を行う場合に、ダウンストリーム用のシンボルを受信しているときに、アップストリームすべき通信シーケンスが構成されていても、これを適切にアップストリームすべきデータを送信することができる。
【００１８】
例えば、リモートからＳＥＧＵＥ信号を送信したいときは、必ずダウンストリーム方向にシンボルが設定されており、送信することができない。このため、ＳＥＧＵＥ信号の前に送信されてくるＲＥＶＥＲＢ信号を計数し、所定個数計数したとき最後のＲＥＶＥＲＢ信号を送信する代わりにＳＥＧＵＥ信号を送信するようにした。これにより、ＳＥＧＵＥ信号を送信することができ、適正なシーケンスを行うことができる。
【００１９】
本発明の第７の態様は、通信単位であるシンボルを計測する計測手段と、送信キャリアインデックス毎にアップストリーム、ダウンストリームのいずれの場合に使用するかをテーブル化した管理テーブルと、前記計測手段で所定シンボルを計測する毎に前記管理テーブルを書き換えるテーブル書き換え手段と、前記管理テーブルに記憶されているキャリアを用いて、ショータイム手順とを順次実行する通信手段とを備え、前記管理テーブルに基づいてアップストリーム、ダウンストリームとを相互に切替え、時分割制御することにより通信することを特徴とするＡＤＳＬモデム装置である。
【００２０】
これにより、ショータイム中には、時分割制御を行い、ダウンストリーム方向のデータ通信をより速くより確実に通信することができる。
【００２１】
本発明の第８の態様は、第７の態様のＡＤＳＬモデム装置において、ショータイム中にアップストリーム方向にデータ送信するときに、ダウンストリームのシンボル送信が割り当てられたときには、一時アップストリーム方向に送信すべきデータを記憶するバッファ手段と、アップストリーム方向にデータを送信できるときになったら、前記バッファ手段からデータを取出し、アップストリーム方向へ送信する送信手段と、を備えたものとした。
【００２２】
これにより、ハイパーフレームをアップストリームとダウンストリームに時分割多重する場合、ダウンストリーム期間中にアップストリームのデータが入力されても、そのアップストリームのデータを確実に送信することができる。
【００２３】
本発明の第９の態様は、リモート−センター間でのダウンストリームで使用されるキャリアインデックスの領域をキャリアインデックス３２以下とし、このキャリアインデックス３２以下のキャリアインデックスを用いてダウンストリームの通信を行い、アップストリームで使用されるキャリアインデックスの領域を、ダウンストリームで使用されるキャリア周波数の領域より低周波数域とし、この低周波域のキャリアインデックスを用いてアップストリームの通信を行う通信方法である。
【００２４】
これにより、ダウンストリームの領域が広がることから、ダウンストリームの通信速度を上げることができるとともに、定周波数域のキャリアを使用しているため、遠距離通信による減衰にも耐え得ることができる。
【００２５】
本発明の第１０の態様は、ＡＤＳＬ通信の通信単位を構成するハイパーフレームのうち特定のシンボルのみアップストリームによる通信を行い、前記特定のシンボル以降のシンボルをダウンストリームによる通信を行い、このダウンストリームによる通信が所定シンボル数分なされると、再度アップストリームによる通信を行うことにより、ダウンストリームとアップストリームとで使用するシンボルを時分割処理により切替えることを特徴とする通信方法である。
【００２６】
これにより、データ量が少なく通信スピードを重視しないアップストリームで使用するシンボルを絞り、ダウンストリームで使用するシンボルを拡張することにより、ダウンストリーム時の通信スピードを向上させることができる。
【００２７】
本発明の第１１の態様は、ＡＤＳＬ通信の通信単位であるハイパーフレームのうち、特定のシンボルのみをアップストリームの信号として使用し、他のシンボルをダウンストリームの信号として使用するように記憶する管理テーブルを備え、この管理テーブルに記憶されるシンボルに応じて、アップストリーム、ダウンストリームを切替えて通信を行い、ハイパーフレームを所定個送信した場合には、次のハイパーフレームの先頭でＲＥＶＥＲＢ信号に代えてＳＥＧＵＥ信号を送信することを特徴とする通信方法である。
【００２８】
これにより、アップストリーム、ダウンストリーム用のシンボルに合わせてデータ送受信を行う場合に、ダウンストリーム用のシンボルを受信しているときに、アップストリームすべき通信シーケンスが構成されていても、これを適切にアップストリームすべきデータを送信することができる。
【００２９】
本発明の第１２の態様は、ＡＤＳＬ通信におけるハンドシェイク通信手順、イニシャライズ通信手順を実行した後、ショータイム手順に移行する際、所定シンボル数分をアップストリームに割り当ててショータイム手順を実行し、前記所定シンボル数分を通信した後、所定シンボル数分ダウンストリームに割り当ててショータイム手順を実行し、その後再度所定シンボル数分アップストリーム手順を実行し、アップストリームとダウンストリームを相互に切替えてショータイム手順を実行することを特徴とする通信方法である。
【００３０】
これにより、ショータイム中には、時分割制御を行い、ダウンストリーム方向のデータ通信をより速くより確実に通信することができる。
以下、図面を参照して本発明の実施の形態について具体的に説明する。
【００３１】
（実施の形態１）
図１は、本発明が適用されるＡＴＵ−Ｒ側の通信システムの概略構成を示す図である。同図に示す通信システムは、公衆回線網又はこれと同等の回線網（以下、回線という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００３２】
ＡＤＳＬモデム装置２は、後述するハンドシェイク手順を実行するトランシーバ１１と、このトランシーバ１１を含む全体の動作を制御するホスト１２とを備えている。トランシーバ１１の回線側端部はアナログフロントエンド（以下、ＡＦＥという）を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３３】
図２はトランシーバ１１の機能ブロック図である。プロセッサ２０は、データ通信（ショータイム）が開始される前段で、ハンドシェイク手順、イニシャライズ手順を実行する機能を備える部分である。
【００３４】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、ＩＦＦＴという）するＩＦＦＴ部２６から構成されている。
【００３５】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。また、ＲＡＭ３３には、後述するキャリアテーブルが格納される。トランシーバ１１は、ホストインターフェース（Ｉ／Ｆ）３４を介してホスト１２と接続される。
【００３６】
上記ＡＤＳＬモデム装置２に対してメタリックケーブルを介してセンター側のＡＤＳＬモデム装置が接続される。センター側のＡＤＳＬモデム装置は、上記ＡＤＳＬモデム装置２と同様の構成を備えている。センター側は、通信事業者の設置した交換機である場合には、電話機４は存在しない。
【００３７】
次に以上のように構成された本実施の形態の動作について具体的に説明する。特に、イニシャライズ手順を実行する際の動作について詳しく説明する。最初に、Ｇ．ｈｓに基づいたイニシャライズ手順のシーケンスについて説明する。
【００３８】
図３は、Ｇ．ｄｍｔに基づいたイニシャライズ手順によるシーケンスを示している。ＡＴＵ−Ｃはセンター側であり、ＡＴＵ−Ｒはリモート側である。ＡＴＵ−ＣとＡＴＵ−Ｒとの間でＧ．９４４．１に基づいたハンドシェイク手順を実行してモード選択を行い、同図に示す例であればＧ．ｄｍｔをイニシャライズ手順のモードとして選択している。
【００３９】
ＡＴＵ−Ｃは、イニシャライズ手順を開始すると、キャリアインデックス６４及びキャリアインデックス４８を使用してＣ−ＰＩＬＯＴ１信号又はＣ−ＰＩＬＯＴ１Ａ信号を送信する。
【００４０】
ＡＴＵ−Ｒは、イニシャライズ手順を開始してキャリアインデックス６４及びキャリアインデックス４８で信号エネルギーを検出すると、当該ＰＩＬＯＴ信号に基づいてハイパーフレームの同期を合わせる処理を実行する。ハイパーフレームの同期確立後、Ｒ−ＲＥＶＥＲＢ１信号を送信する。
【００４１】
ＡＴＵ−Ｃは、Ｒ−ＲＥＶＥＲＢ１信号を検出すると、Ｃ−ＲＥＶＥＲＢ１、Ｃ−ＰＩＬＯＴ２、Ｃ−ＥＣＴ、Ｃ−ＲＥＶＥＲＢ２の順に所定シンボル数の信号を送信する。
【００４２】
ＡＴＵ−Ｒは、Ｃ−ＲＥＶＥＲＢ１又はＣ−ＲＥＶＥＲＢ２に基づいてシンボルの同期を合わせる処理を実行する。
【００４３】
そして、ＡＴＵ−ＣはＣ−ＲＥＶＥＲＢ３を送信した後、ＡＴＵ−ＲはＲ−ＲＥＶＥＲＢ２を送信した後に、互いに同一のタイミングでＣ−ＳＥＧＵＥ１、Ｒ−ＳＥＧＵＥ１を複数シンボル送信する。これ以降は、ショータイムでのパラメータを決める重要な信号が交換されるため、各シンボルにはサイクリックプレフィックスと呼ばれるデータが付加される。サイクリックプレフィックス付きのＲＡＴＥＳ信号、ＭＳＧ信号にて通信速度、符号化パラメータ、トーンオーダリング情報をやり取りして、各種通信パラメータを決定する。以降のシーケンスは省略されているが、通信パラメータを決定したことを互いに確認しあった後、データ通信となるショータイムを実行する。
【００４４】
ここで、イニシャライズ手順における独自モードについて説明する。図４（ａ）に示すように、Ｇ．ｄｍｔに規定された内容（通常モード）では、アップストリームにはキャリアインデックス７から３１を割り付け、ダウンストリームにはキャリアインデックス３２から２５５を割り付けている。特に、Ｃ−ＰＩＬＯＴ１Ａ又はＣ−ＰＩＬＯＴ１信号はキャリアインデックス４８、キャリアインデックス６４を割り付けている。一方、独自モードでは、図４（ｂ）に示すようにアップストリームにはキャリアインデックス７から１５を割り付け、ダウンストリームにはキャリアインデックス１６から２５５を割り付けている。特に、Ａ４８信号に対応する信号はキャリアインデックス１８を割り付け、その他のＰＩＬＯＴ信号はキャリアインデックス１６又は３２を割り付けている。
【００４５】
図５、図６は、以上のようなアップストリームとダウンストリームに対するキャリアの割付けを示す管理テーブルである。図５は通常モードでのキャリアの割付けを示す管理テーブルであり、図６は独自モードでのキャリアの割付けを示す管理テーブルである。
【００４６】
このように、本実施の形態では、独自モードになると通常モードよりもダウンストリームの使用帯域を低周波側へ拡張し、アップストリームの使用帯域をその分だけ狭くするように制御する。これにより、ダウンストリームに含まれるＰＩＬＯＴ信号に低周波数のキャリアを割り付けることができ、遠距離であってもＰＩＬＯＴ信号をリモート側へ確実に到達させることができ、また近距離の場合にはより高品質な通信を実現できる。
【００４７】
図７はダウンストリームの使用帯域を低周波側へ拡張するためのフロー図である。なお、ＡＴＵ−ＣとＡＴＵ−Ｒとでは同様の処理となるので区別せずに説明する。ＡＴＵ−ＣとＡＴＵ−Ｒとの間でハンドシェイク手順を実行し（ステップＳ１００）、ハンドシェイク手順の中で独自モードを互いにサポートしているか否か判断する（ステップＳ１０１）。モードセレクト信号を用いることにより、独自モードをサポートしているか否かを判断できる。
【００４８】
両者が独自モードをサポートしている場合は、デフォルトで設定されている通常モードの管理テーブル（図５）を、図６に示す独自モード用の管理テーブルに書き換える（ステップＳ１０２）。
【００４９】
次に、イニシャライズ手順を開始して（ステップＳ１０３）、独自モード用の管理テーブルに基づいて割り付けられたキャリアインデックスにてＡＴＵ−ＣからＰＩＬＯＴ信号を送信し、ＡＴＵ−Ｒでは独自モード用の管理テーブルに基づいて割り付けられたキャリアインデックスにてＰＩＬＯＴ信号を検出する。
【００５０】
例えば、ＡＴＵ−Ｃは、Ｃ−ＰＩＬＯＴ１の一つの信号（Ａ４８信号に相当する信号）をキャリアインデックス１８にて送信するので、キャリアインデックス４８（通常モード）で送信した場合に比べて、より遠距離まで信号を到達させることができる。また、ＡＴＵ−Ｃは、Ｃ−ＰＩＬＯＴのもう一つの信号（キャリアインデックスス６４に相当する信号）をキャリアインデックス３２にて送信するので、キャリアインデックス６４（通常モード）で送信した場合に比べて、より遠距離まで信号を到達させることができる。Ｃ−ＰＩＬＯＴがキャリアインデックス３２でも到達しない距離の場合は、キャリアインデックス１６を使用して送信するものとする。よって、ＡＴＵ−ＲではＰＩＬＯＴ信号を受信することができ、ＰＩＬＯＴに基づいてハイパーフレームの同期合わせを行うことができる。
【００５１】
なお、本発明はＰＩＬＯＴ信号の割り付けるキャリアインデックスを上記した番号に限定するものではなく、拡張されたダウンストリームの使用帯域の中から適宜選択することができる。
【００５２】
次に、イニシャライズ手順が終了したら、ショータイム手順を実行してデータ通信を行う（ステップＳ１０４）。
【００５３】
このように本実施の形態によれば、独自モードでは通常モードよりもダウンストリームの使用帯域を低周波側へ拡張し、アップストリームの使用帯域をその分だけ狭くするようにしたので、ダウンストリームに含まれるＰＩＬＯＴ信号に低周波数のキャリアを割り付けることができ、遠距離であってもＰＩＬＯＴ信号をリモート側へ確実に到達させることができ、また近距離の場合にはより高品質な通信を実現できる。
【００５４】
（実施の形態２）
次に、本発明の実施の形態２について説明する。本実施の形態はアップストリームとダウンストリームとを１ハイパーフレームの期間内に時分割多重して、ダウンストリームの使用帯域を低周波側に拡張したものである。なお、ＡＴＵ−Ｃ及びＡＴＵ−Ｒの構成は後述する独自モードのハンドシェイク手順を除けば実施の形態１で説明したＡＴＵ−Ｃ及びＡＴＵ−Ｒと同様の構成要素で構成される。したがって、実施の形態１と同一構成要素には同一符号を使用して説明する。
【００５５】
図８はアップストリームとダウンストリームとを時分割で割り付けたハイパーフレームを示している。同図に示すように、ハイパーフレームの第０シンボルから第４９シンボルまでをアップストリームに割付け、第５０シンボルから第３３４シンボルまでをダウンストリームに割付け、最後の１０シンボルである第３３５シンボルから第３４４シンボルを再びアップストリームに割付けている。
【００５６】
ダウンストリームにおいてキャリアに使用可能な周波数帯域は、図９（ａ）に示すようにキャリアインデックス７からキャリアインデックス２５５までである。アップストリームとダウンストリームとで周波数分割したのでは、低周波側の拡張に大きな制限があるが、時分割としたことによりキャリアインデックス７まで低周波側に拡張できている。
【００５７】
一方、アップストリームにおいてキャリアに使用可能な周波数帯域は、図９（ｂ）に示すようにキャリアインデックス７からキャリアインデックス３１までである。この周波数帯域は、Ｇ．ｄｍｔ／ｌｉｔｅで定められている範囲と同じである。
【００５８】
ＡＴＵ−Ｃ及びＡＴＵ−Ｒは、以上のような独自モードにおけるアップストリーム及びダウンストリームの使用可能キャリアを管理するための管理テーブルを予め保持している。例えば、管理テーブルは、ホスト１２が内部メモリに保持していて、起動時にプロセッサ２０へ与えるように構成する。又はプロセッサ２０の管理下にあるＲＯＭ（不図示）に格納しておく。
【００５９】
図１０は独自モード時のアップストリームの使用可能キャリアを示す管理テーブルである。図１１は独自モード時のダウンストリームの使用可能キャリアを示す管理テーブルである。「ＵＰ」はアップストリームに使用可能キャリアを示しており、「ＤＯＷＮ」はダウンストリームに使用可能キャリアを示している。
【００６０】
次に、ＡＴＵ−Ｃ及びＡＴＵ−Ｒにおけるアップストリームとダウンストリームの時分割切替え処理について説明する。なお、ＡＴＵ−ＣとＡＴＵ−Ｒとの間で実行したハンドシェイク手順で、イニシャライズ手順に独自モードを使用することが決められたものとする。
【００６１】
先ず、センター側のアップストリームとダウンストリームの時分割切替え処理について説明する。ＡＴＵ−Ｃは、ハンドシェイク手順を開始すると、Ｃ−ＱＵＩＥＴ２（無音区間）を複数シンボル送信した後に、図３に示す”Ｂｅｇｉｎｎｉｎｇ　ｏｆ　Ｈｙｐｅｒｆｒａｍｅ”からハイパーフレームを開始する。ＡＴＵ−Ｃは、交換機の網から４００ＨｚのＴＴＲクロックを受信していて、ＴＴＲクロックに同期してハイパーフレームのＦＥＸＴ区間とＮＥＸＴ区間とを区別し、図１３に示す区分けを行っている。
【００６２】
ＡＴＵ−Ｃは、ハイパーフレームの先頭からシンボル数を計数し、第０シンボルから第４９シンボルまではダウンストリームの信号送信を停止してアップストリームの信号を受信する。そして、ハイパーフレームの第５０シンボルから第３３４シンボルを使用してダウンストリームの信号を送信する。
【００６３】
このとき、図１１に示す管理テーブルに従ってキャリアインデックス７からキャリアインデックス２５５の範囲を使用してダウンストリームの信号を送信する。本例ではＣ−ＰＩＬＯＴ信号のＡ４８信号に相当する信号にキャリアインデックス３２を使用し、もう一つのキャリアインデックスス６４に相当する信号にキャリアインデックス１８を使用するものとする。キャリアインデックス３２を使用したＣ−ＰＩＬＯＴ信号が減衰によりリモート側へ到達しない場合は、さらに低周波側へシフトしたキャリア（例えばキャリアインデックス１６）を使用してリトライする。
【００６４】
ＡＴＵ−Ｒは、図１２に示すフロー図にしたがってアップストリームとダウンストリームの時分割切替えを行う。イニシャライズ手順を開始すると、Ｃ−ＰＩＬＯＴ１信号又はＣ−ＰＩＬＯＴ１Ａ信号を受信する（ステップＳ２００）。ハイパーフレームの同期確立前は、常時すべてのキャリアをモニタしていてキャリアインデックス３２、１８、又は１６にエネルギーを検出すれば、Ｃ−ＰＩＬＯＴ信号を受信したと判断する。センター側はハイパーフレームの第５０シンボルから第３３４シンボルを使用してＰＩＬＯＴ信号を送信しているが、リモート側ではハイパーフレーム確立前は全二重通信のような状態で待ちうけているので、確実にＰＩＬＯＴ信号を受信できる。
【００６５】
次に、受信したＰＩＬＯＴ信号に基づいてＦＥＸＴシンボルとＮＥＸＴシンボルとの境目を検出する。具体的には、Ａｎｎｅｘ．Ｃは、キャリアインデックス６４とキャリアインデックス４８とを合成したＰＩＬＯＴ信号を生成し、ＦＥＸＴ区間ではキャリアインデックス６４とキャリアインデックス４８を同一位相で合成したＰＩＬＯＴ信号を送信し、ＮＥＸＴ区間ではキャリアインデックス６４のＰＩＬＯＴ信号と当該ＰＩＬＯＴから９０度位相をずらしたキャリアインデックス４８のＰＩＬＯＴ信号とを送信する。リモート側では、ＰＩＬＯＴ信号の位相データの変化を検出して、ＦＥＸＴシンボルからＮＥＸＴシンボルへの境目を検出し、そこからＦＥＸＴシンボル及びＮＥＸＴシンボルを認識しながらシンボル数を計数する（ステップＳ２０１）。図１３に示すようにハイパーフレームは、第１３サブフレームと第２２サブフレームの２箇所にＦＥＸＴシンボルが５個連続する個所がある。ＡＴＵ−Ｒでは、ＦＥＸＴシンボルが５個連続する個所を２個所検出したら（ステップＳ２０２）、２回目にＦＥＸＴシンボルが５連続した個所の最後のＦＥＸＴシンボルの次シンボル（ＮＥＸＴシンボル）からシンボルをカウントしていき当該ハイパーフレームの最後のシンボル（第３４４シンボル）を認識する。これにより、ハイパーフレームの最後のシンボル位置（又は最初のシンボル位置）が検知できたので、以降はハイパーフレームの先頭に同期を合わせることができる（ステップＳ２０３）。
【００６６】
ＡＴＵ−Ｒは、ハイパーフレームの先頭で管理テーブルを図１０に示すものに書き換える（ステップＳ２０４）。そして、第０シンボルからシンボル数を計数し（ステップＳ２０５）、５０シンボル分を計数する（ステップＳ２０６）。この第０シンボルから第４９シンボルの間は図１０に示す管理テーブルを使用してアップストリームの信号を送信する。
【００６７】
第５０シンボルの直前で、管理テーブルを図１１に示す管理テーブルに書き換えて（ステップＳ２０７）。そして第５０シンボルから第３３４シンボルに相当する２８４シンボルを計数する（ステップＳ２０８）。この期間はキャリアインデックス７からキャリアインデックス２５５にてダウンストリームの信号を検出する。
【００６８】
さらに、管理テーブルをアップストリーム用に書き換えて（ステップＳ２０９）、第３３５シンボルから第３４４シンボルまでの１０シンボルを計数する（ステップＳ２１０）。この期間は、再びアップストリームの信号を送信する。
【００６９】
以上がアップストリームとダウンストリームの時分割多重であり、１ハイパーフレーム毎に上記切替えを実施している。
【００７０】
図１４（ａ）（ｂ）（ｃ）はハイパーフレームを実施のイニシャライズシーケンスに対応させて連続表記したものである。図１４（ａ）はセンター側の送信区間を白抜きで示しており、図１４（ｂ）はリモート側の送信区間を白抜きで示している。図１４（ｃ）はセンター側とリモート側のハイパーフレームを合成したものである。図１４（ｃ）に示すシーケンスの一番下に示すように、イニシャライズシーケンスの途中でＳＥＧＵＥ信号を同じ時期に送信する。本実施の形態では、ハイパーフレームの最後のサブフレーム（第３１サブフレーム）を２つに分割して、前半部をダウンストリームに割り付け、後半部をアップストリームに割り付けている。
【００７１】
これにより、センター側ではＣ−ＳＥＧＵＥ信号をアップストリームに送信できると共にダウンストリームのＲ−ＳＥＧＵＥ信号を検出でき、リモート側ではＲ−ＳＥＧＵＥ信号をダウンストリームに送信できると共にアップストリームのＣ−ＳＥＧＵＥ信号を検出できる。したがって、アップストリームとダウンストリームとを１ハイパーフレーム内で時分割多重しても、イニシャライズ手順において重要な信号であるＳＥＧＵＥ信号を確実に送受信できる。
【００７２】
また、ハイパーフレームの最後の１０シンボルをアップストリームに割り付け、ハイパーフレームの最後２０シンボルで前半部をダウンストリームに割り付け、後半部をアップストリームに割り付けているので、後半部のアップストリームから次ハイパーフレームの先頭に割り付けられているアップストリームを連続させることができ、アップストリームとダウンストリームの切替えを最小限に抑えることができる。
【００７３】
なお、ハイパーフレームの最後のサブフレームに割り付けるダウンストリーム及びアップストリームは最低１シンボルでよい。しかし、本例では検出に失敗した場合を考慮して複数シンボルとしている。
【００７４】
（実施の形態３）
次に、本発明の実施の形態３について説明する。ＡＴＵ−Ｃ及びＡＴＵ−Ｒとも基本的な構成は前述した実施の形態１と同じであるので、同一構成要素には同一符号を使用して説明する。
【００７５】
本実施の形態は、１ハイパーフレームの期間をアップストリームとダウンストリームとで時分割多重し、ダウンストリームの使用帯域を低周波側に拡張したものである。さらに、ハイパーフレームの初めの５０シンボルをアップストリームに割り付け、残りの全シンボルをダウンストリームに割り付けている。また、ＳＥＧＵＥ信号の送信タイミングがＮ番目のハイパーフレームの最後の数シンボルと重なるので、そのハイパーフレームの先頭に割り付けたアップストリームで先にＳＥＧＵＥ信号を送信するようにしている。
【００７６】
なお、本発明はアップストリームに割り付けるシンボル数を５０シンボルに限定するものではなく、ダウンストリームに送信するデータ量との関係で適宜決めることができる。
【００７７】
図１５は、アップストリームとダウンストリームとで時分割多重した状態を示しており、アップストリームでＲ−ＲＥＶＥＲＢ２信号を送信する部分を示している。図３に示すように、Ｇ．ｄｍｔのＡｎｎｅｘ．Ｃ仕様では、Ｒ−ＲＥＶＥＲＢ２のシンボル数は３６３４個から３６４３個に決められており、ハイパーフレームの送信開始からＲ−ＳＥＧＵＥ１の終わりである”Ｉｎｔｒｏｄｕｃｔｉｏｎ　ｏｆ　ｇｕａｒｄ　ｔｉｍｅ”までに送信するハイパーフレームの数は予め決められている（ここでは「Ｎ」個とする）。Ｇ．ｄｍｔのＡｎｎｅｘ．Ｃでは、ハイパーフレームの送信開始からＮ番目のハイパーフレームの最後の数シンボルでＲ−ＳＥＧＵＥ１が送られることになるが、図１５に示すようにハイパーフレームの最後の数シンボルはダウンストリームに割り付けられていてアップストリームのＲ−ＳＥＧＵＥ１を送ることができない。
【００７８】
そこで、Ｎ番目のハイパーフレームの最後数シンボルで送るべきＲ−ＳＥＧＵＥ１を、そのＮ番目のハイパーフレームの先頭の数シンボルに割り付けられているアップストリームで送るように制御する。センター側も、独自モードではＮ番目のハイパーフレームの先頭数シンボルに割り付けられているアップストリームでＲ−ＲＥＶＥＲＢ１を待ち受けるものとする。
【００７９】
なお、以上のようなリモート側のＳＥＧＵＥ信号の先送り処理は、Ｒ−ＳＥＧＵＥ１だけでなく他のＳＥＧＵＥ信号（Ｒ−ＳＥＧＵＥ２など）において同様に実施する。
【００８０】
但し、Ｇ．ｄｍｔのＡｎｎｅｘ．Ｃでは、Ｒ−ＲＥＶＥＲＢ４を２９６シンボル送信することを定めているので、Ｒ−ＲＥＶＥＲＢ４の送信は３４５シンボルで構成される１ハイパーフレームで完了してしまう。このため、ＳＥＧＵＥ信号を送信するハイパーフレームの最後尾から先頭位置に当該ＳＥＧＵＥ信号の送信タイミングをシフトさせる制御ができない。
【００８１】
そこで、Ｒ−ＲＥＶＥＲＢ４の前に送信しているＲ−ＭＥＤＬＥＹ信号の送信区間の後半部を利用してＲ−ＲＥＶＥＲＢ４を送信して、Ｒ−ＲＥＶＥＲＢ４を少なくとも２ハイパーフレームに亘って送信するようにする。
【００８２】
Ｇ．ｄｍｔのＡｎｎｅｘ．Ｃでは、Ｒ−ＲＥＶＥＲＢ４を２９６シンボル、Ｒ−ＳＥＧＵＥ３は１３シンボルと定められているので、Ｒ−ＭＥＤＬＥＹの後半部の｛３４５−（２９６＋１３）＋３４５｝＝４８１シンボルをＲ−ＲＥＶＥＲＢ４の送信に使用する。そして、リモート側において、ハイパーフレームの先頭位置となるＲ−ＲＥＶＥＲＢ４の送信開始（Ｒ−ＭＥＤＬＥＹの最後尾からさかのぼって４８１シンボル目）からハイパーフレーム数をカウントし、２個目となるハイパーフレームの先頭（アップストリーム）でＲ−ＳＥＧＵＥ３を送信する。一方、センター側では、Ｒ−ＲＥＶＥＲＢ４の受信開始からハイパーフレーム数をカウントし、２個目のハイパーフレームの先頭に割り付けたアップストリームでＲ−ＳＥＧＵＥ３を受信する。
【００８３】
以下、具体的にシーケンスについて説明する。リモート側はハンドシェイク手順でイニシャライズ手順として独自モードが選択されている場合、イニシャライズ手順に入るとＣ−ＰＩＬＯＴに基づいてハイパーフレーム同期をとる。センター側がハイパーフレームの送信を開始すると、１番目のハイパーフレームの最後尾のシンボルで同期が確立するので、その時点からハイパーフレーム番号のカウントを開始する。
【００８４】
今、イニシャライズシーケンスが進んでＲ−ＲＥＶＥＲＢ２の先頭位置に来たものとする。図１６はＡＴＵ−ＲがＲ−ＲＥＶＥＲＢ２の送信を開始してからの処理を示している。ハイパーフレームの第０シンボルからＲ−ＲＥＶＥＲＢ２の送信を開始する（ステップＳ３００）。アップストリームの送信では図１０に示す管理テーブルを使用してキャリアを選択する。アップストリームで送信したシンボル数を計数し（ステップＳ３０１）、Ｒ−ＲＥＶＥＲＢ２を５０シンボル送信したら（ステップＳ３０２）、ダウンストリーム側に切替えられる（ステップＳ３０３）。そのために、図１１に示す管理テーブルに書き換えて使用キャリアを変更する（ステップＳ３０３）。図１１に示す管理テーブルにしたがってキャリアインデックス７からキャリアインデックス２５５の信号エネルギーをモニタしてダウンストリームの信号を受信する（ステップＳ３０４）。ダウンストリームに切り替わってからのシンボル数を計数し、ハイパーフレームのシンボル番号が最後尾のシンボルとなったか否か判断する（ステップＳ３０５）。
【００８５】
新しいハイパーフレームに切り替わるときは、次のハイパーフレームのフレーム番号がＮ番であるか否か判断する（ステップＳ３０６）。図１５において上から３番目のハイパーフレームが次のハイパーフレームでればアップストリームでＲ−ＳＥＧＵＥ１信号を送信しなければならない。
【００８６】
ステップＳ３０６の判定で次フレーム番号＝Ｎであったときは、図１０に示す管理テーブルに書き換えて（ステップＳ３０７）、第０シンボルから第４９シンボルの間にＲ−ＳＥＧＵＥ１信号を送信する（ステップＳ３０８）。
【００８７】
このようにして、リモート側はＲ−ＳＥＧＵＥ１信号を本来の送信タイミングからずれた位置で送信することができ、センター側も本来のタイミングとは異なる位置で待ち受けることができる。
【００８８】
（実施の形態４）
次に、本発明の実施の形態４について説明する。ＡＴＵ−Ｃ及びＡＴＵ−Ｒとも基本的な構成は前述した実施の形態１と同じであるので、同一構成要素には同一符号を使用して説明する。
【００８９】
本実施の形態は、データ通信期間であるショータイムを図１５に示すように１ハイパーフレーム期間をアップストリームとダウンストリームとで時分割多重し、ダウンストリームの使用帯域を低周波側に拡張したものである。
【００９０】
図１７はショータイムでアップストリームとダウンストリームとで時分割多重するためのフロー図である。ＡＴＵ−Ｃ及びＡＴＵ−Ｒとも同様の処理であるので区別せずに説明する。
【００９１】
ハンドシェイク手順においてイニシャライズ手順で独自モードを使用することが選択されると（ステップＳ４００、Ｓ４０１）、デフォルトの管理テーブルである図５の管理テーブルを参照してキャリアを選択してイニシャライズ手順を実行する（ステップＳ４０２、Ｓ４０３）。
【００９２】
イニシャライズ手順が終了したら、１ハイパーフレーム期間をアップストリームとダウンストリームとで時分割多重する処理を開始する。本例では、図１５に示す例と同様にハイパーフレームの第０シンボルから第４９シンボルをアップストリームに割り付け、第５０シンボルから第３４４シンボルをダウンストリームに割り付ける。なお、本発明は上記シンボル番号による割付けに限定されるものではない。
【００９３】
図１０に示すアップストリームの使用キャリアを定義した管理テーブルに書き換えて（ステップＳ４０４）、図１０に示す管理テーブルを参照してキャリアを選択する（ステップＳ４０５）。ショータイムが開始されると、リモート側がハイパーフレームのアップストリーム期間に第０シンボルから第４９シンボルを使用してデータを送信する（ステップＳ４０６）。このとき、データ通信に使用されるキャリアはキャリアインデックス０からキャリアインデックス３１である。センター側は、図１０に示す管理テーブルを参照してキャリアインデックス０からキャリアインデックス３１の信号エネルギーをモニタしている。
【００９４】
ハイパーフレームの第５０シンボルになるとアップストリームからダウンストリームに切替えられる。そのため、センター側及びリモート側ともに管理テーブルを図１１に示すダウンストリームの管理テーブルに切替える。センター側は、ハイパーフレームの第５０シンボルから第３４４シンボルの期間にキャリアインデックス７からキャリアインデックス２５５を使用してダウンストリームのデータを送信する。一方、リモート側は、図１１に示す管理テーブルを参照してキャリアインデックス７からキャリアインデックス２５５の信号エネルギーをモニタしている。
【００９５】
以降、上記同様にハイパーフレームのシンボル番号をカウントしながらアップストリームとダウンストリームとを切替え、アップストリームとダウンストリームとで管理テーブルを切替えて使用可能なキャリア使用してデータ通信を実行する。
【００９６】
なお、ハンドシェイク手順で通常のモードが選択された場合は、ステップＳ４０７へ分岐して図５に示すデフォルトの管理テーブルを参照して使用可能なキャリアを認識し、イニシャライズ手順では認識したキャリアを使用して信号を送受信する（ステップＳ４０８）。そして、イニシャライズが終了したらショータイムを実行する（ステップＳ４０９）。
【００９７】
ところで、基本的にはダウンストリームよりもアップストリームのデータ量は少ないために、アップストリームには少ないシンボル数（５０シンボル）を割り付けている。そのため、ＡＴＵ−Ｒにおいて、ダウンストリームの期間にユーザのデータ入力などアップストリームのデータが発生することが予想される。しかし、ダウンストリームの期間にアップストリームのデータが発生しても送ることができない事態となる。
【００９８】
そこで、図１８に示すように、ダウンストリームの期間にユーザのデータ入力などアップストリームのデータが発生した場合はバッファリングしておき、次のアップストリームの期間に送信するように構成する。
【００９９】
ＡＴＵ−Ｒにおいて、イニシャライズ手順を実行し（ステップＳ５００）、次にショータイムが実行される（ステップＳ５０１）。図１５に示すタイミングで１ハイパーフレーム期間がアップストリームとダウンストリームとに時分割多重される。このとき、ダウンストリームの期間中に（ステップＳ５０２）、アップストリームで送るべき入力データが発生すると（ステップＳ５０３）、バッファメモリ１２ａに蓄積して（ステップＳ５０４）、次のアップストリーム期間が始まるまで保持しておく。次のアップストリームになったらならば、バッファメモリ１２ａからデータを読み出してセンター側へ送信する（ステップＳ５０５）。
【０１００】
なお、ホスト１２の管理下にあるメモリをバッファメモリ１２ａとして使用することが望ましい。
【０１０１】
【発明の効果】
以上詳記したように本発明によれば、センター側とリモート側とが遠距離化した場合であってもＰＩＬＯＴ信号の減衰を通信可能な範囲に抑制し、確実に受信側で受信可能なＡＤＳＬモデム装置及びその通信方法を提供できる。
【図面の簡単な説明】
【図１】本発明の実施の形態に係るリモート側通信システムの構成図
【図２】図１に示すトランシーバの機能ブロック図
【図３】Ｇ．ｄｍｔのＡｎｎｅｘ．Ｃに定められたイニシャライズ手順の前半部のシーケンス図
【図４】（ａ）通信規格に基づいたアップストリームとダウンストリームとの使用可能帯域（キャリアインデックス）を示す図
（ｂ）独自モードに基づいたアップストリームとダウンストリームとの使用可能帯域（キャリアインデックス）を示す図
【図５】アップストリーム、ダウンストリームの各々について、通信規格に基づいた使用可能なキャリアインデックスとＰＩＬＯＴ信号との対応関係を示す図
【図６】アップストリーム、ダウンストリームの各々について、独自モードに基づいた使用可能なキャリアインデックスとＰＩＬＯＴ信号との対応関係を示す図
【図７】本発明の実施の形態１における独自モードでのキャリア拡張処理のフロー図
【図８】本発明の実施の形態２における独自モードでのアップストリームとダウンストリームとで時分割多重したハイパーフレームの構成を示す図
【図９】（ａ）実施の形態２における独自モードでのダウンストリームで使用可能な帯域を示す図
（ｂ）実施の形態２における独自モードでのアップストリームで使用可能な帯域を示す図
【図１０】実施の形態２における独自モードでのアップストリームで使用するキャリア番号を示す管理テーブルの構成図
【図１１】実施の形態２における独自モードでのダウンストリームで使用するキャリア番号を示す管理テーブルの構成図
【図１２】実施の形態２における独自モードでのリモート側での時分割処理のフロー図
【図１３】リモート側で受信されるハイパーフレームのＦＥＸＴシンボルとＮＥＸＴシンボルの並びを示す図
【図１４】（ａ）実施の形態２においてセンター側から送信したハイパーフレームを示す図
（ｂ）実施の形態２においてリモート側から送信したハイパーフレームを示す図
（ｃ）実施の形態２においてセンター側とリモート側とのハイパーフレームを合成した概念図
【図１５】本発明の実施の形態３におけるアップストリームとダウンストリームの時分割多重を示す図
【図１６】実施の形態３においてリモート側でＳＥＧＵＥ信号を送信するまでのフロー図
【図１７】本発明の実施の形態４における時分割多重のためのフロー図
【図１８】実施の形態４においてアップストリームのデータをバッファリングする処理を示す図
【符号の説明】
１　スプリッタ
２　ＡＤＳＬモデム装置
３　ユーザ端末
４　電話機
１１　トランシーバ
１２　ホスト
１３　ＡＦＥ
１４、１８　アナログフィルタ
１５　ドライバ
１６　ハイブリッド
１７　レシーバ
２０　プロセッサ
２１　リードソロモン符号化部
２２　インターリーブ部
２３　トレリス符号化部
２４　トーンオーダリング部
２５　コンステレーション符号化部
２６　ＩＦＦＴ部
２７　ＦＦＴ部
２８　コンステレーション復号化／ＦＥＱ部
２９　トーンデオーダリング部
３０　ビタビ復号化部
３１　デインターリーブ部
３２　リードソロモン復号化部
【図１】
2004072269.tif 000003
【図２】
2004072269.tif 000004
【図３】
2004072269.tif 000005
【図４】
2004072269.tif 000006
【図５】
2004072269.tif 000007
【図６】
2004072269.tif 000008
【図７】
2004072269.tif 000009
【図８】
2004072269.tif 000010
【図９】
2004072269.tif 000011
【図１０】
2004072269.tif 000012
【図１１】
2004072269.tif 000013
【図１２】
2004072269.tif 000014
【図１３】
2004072269.tif 000015
【図１４】
2004072269.tif 000016
【図１５】
2004072269.tif 000017
【図１６】
2004072269.tif 000018
【図１７】
2004072269.tif 000019
【図１８】
2004072269.tif 000020